(57)【要約】【課題】緩衝器のオイルシール、ピストンロッドに一般的に用いられる材料であるゴム―クロム間の潤滑性において、低速側の摩擦係数が低く、高速側の摩擦係数が高く、更に高速側の摩擦係数に対する低速側の摩擦係数の比が小さい緩衝器用潤滑油組成物を提供することを目的とする。【解決手段】（Ａ）鉱油及び／又は合成油からなる基油と、（Ｂ）下記式（１）で表されるジチオリン酸エステルとを含むことを特徴とする、緩衝器用潤滑油組成物。2014019713.tif 000010【選択図】なし【特許請求の範囲】
【請求項１】
（Ａ）鉱油及び／又は合成油からなる基油と、（Ｂ）下記式（１）で表されるジチオリン酸エステルとを含むことを特徴とする、緩衝器用潤滑油組成物。
【化１】
2014019713.tif 000009
（式（１）中、Ｒ1はそれぞれ独立に炭素数１〜８のアルキル基を示し、Ｒ2は炭素数１〜８のアルキレン基を示し、Ｒ3は炭素数１〜８のアルキル基を示す。）
【請求項２】
前記（Ｂ）成分は、Ｒ1がイソプロピル基であり、Ｒ2が炭素数１〜５のアルキレン基であり、Ｒ3が炭素数１〜５のアルキル基である、請求項１に記載の緩衝器用潤滑油組成物。
【請求項３】
前記（Ｂ）成分が、エチル−３−｛［ビス（１−メチルエトキシ）フォスフィノチオイル］チオ｝プロピオネートである、請求項１又は２に記載の緩衝器用潤滑油組成物。
【請求項４】
前記（Ｂ）成分の含有量が、該組成物全体に対して０．０１質量％以上５質量％以下である、請求項１〜３のいずれかに記載の緩衝器用潤滑油組成物。
【請求項５】
更に、該組成物全体に対して０．１質量％以上５質量％以下の（Ｃ）多価アルコールの部分エステルを含有する、請求項１〜４のいずれかに記載の緩衝器用潤滑油組成物。
【請求項６】
前記（Ｃ）成分が、ペンタエリスリトールジオレートである、請求項５に記載の緩衝器用潤滑油組成物。
【請求項７】
更に該組成物全体に対して０．１質量％以上５質量％以下の（Ｄ）リン含有化合物を含有する、請求項１〜６のいずれかに記載の緩衝器用潤滑油組成物。
【請求項８】
前記（Ｄ）成分が、ジチオリン酸亜鉛（ＺｎＤＴＰ）である、請求項７に記載の緩衝器用潤滑油組成物。
【発明の詳細な説明】
【技術分野】
【０００１】
本発明は、緩衝器用潤滑油組成物に関する。更に詳しくは、本発明は、主に四輪用に使用される緩衝器（ショックアブソーバー）におけるオイルシールとピストンロッドの摺動する部分に使用される緩衝器用潤滑油組成物に関するものである。
【背景技術】
【０００２】
自動車緩衝器用潤滑油は、主として、車に最適な減衰力を発揮し、操縦安定性を保持するために、振動抑制を目的として用いられる。一般的に、緩衝器は乗用車の車体とタイヤの間に設置され、路面凹凸による車体の振動や、急加速や急ブレーキの際に発生する揺れ等を緩衝する働きがある。
緩衝器は、垂直に設置されるより斜めに設置したほうが乗り心地に優れるため、通常の緩衝器は斜めに取り付けられる。このため、緩衝器の伸縮によって発生する曲げモーメントにより大きな横力が緩衝器に掛かる。この横力が掛かった状態のときに緩衝器の伸縮運動がスムーズになされるためには、軸受（ガイドブッシュ）の低フリクション化が緩衝器油（ショックアブソーバフルード：ＳＡＦ）に求められる。
従来、自動車緩衝器用潤滑油は、緩衝器のオイルシール／ピストンロッド、ピストンロッド／ガイドブッシュ、ピストンバンド／シリンダーなどの摺動部における摩擦を低減することによって振動抑制作用の向上を図ってきた（例えば、特許文献１、２）。
【０００３】
自動車で走行中、速度１００〜２００ｋｍ／ｈにおいて車線変更のためにハンドルを切った際に、不安定なローリングが発生し、車体の安定性が悪くなったり、危険を回避するための必要回避距離が長いなどの課題が生じる。この課題は、微少振幅時の緩衝器の減衰力に起因し、微少振幅時に減衰力に寄与するオイルシールとピストンロッドやピストンバンドとシリンダ等摺動部における摩擦力に関係するとされている。
特許文献３では、このような課題を解決するためにオイルシールとピストンロッドやピストンバンドとシリンダ等摺動部の摩擦力を高めた自動車緩衝器用潤滑油組成物が提案されている。当該潤滑油組成物は、潤滑油基油に対し（Ａ）酸性リン酸モノエステルのアミン塩、（Ｂ）ポリアルケニルコハク酸イミド及び（Ｃ）酸性亜リン酸ジエステルを配合してなるものである。しかし、このように摩擦力を高めた場合には、ゴムによるビビリが発生しやすくなる傾向にある。
このように緩衝器用潤滑油は、緩衝器の微少振幅時に、ゴムによるビビリが発生しにくく、且つ、緩衝器の減衰力を発揮することが求められる。このような観点からは、オイルシールはゴム製品であり、ピストンロッドの表面はクロム材であるため、ゴムとクロム間の摩擦が問題となる。
【先行技術文献】
【特許文献】
【０００４】
【特許文献１】特開平５−２５５６８３号公報
【特許文献２】特開２０００−１９２０６７号公報
【特許文献３】特開２００３−１４７３７９号公報
【発明の概要】
【発明が解決しようとする課題】
【０００５】
本発明は、このような状況下で、緩衝器のオイルシール、ピストンロッドに一般的に用いられる材料であるゴム―クロム間の潤滑性において、低速側の摩擦係数が低く、高速側の摩擦係数が高く、更に高速側の摩擦係数に対する低速側の摩擦係数の比が小さい緩衝器用潤滑油組成物を提供することを目的とするものである。
【課題を解決するための手段】
【０００６】
本発明者は、前記の課題を解決する潤滑油組成物を開発すべく鋭意研究を重ねた結果、特定の基油に、特定の構造を有するジチオリン酸エステルを配合することにより、その目的を達成し得ることを見出した。本発明は、かかる知見に基づいて完成したものである。
すなわち本発明は、以下の〔１〕〜〔８〕を提供するものである。
〔１〕（Ａ）鉱油及び／又は合成油からなる基油と、（Ｂ）下記式（１）で表されるジチオリン酸エステルとを含むことを特徴とする、緩衝器用潤滑油組成物。
【化１】
2014019713.tif 000002
（式（１）中、Ｒ1はそれぞれ独立に炭素数１〜８のアルキル基を示し、Ｒ2は炭素数１〜８のアルキレン基を示し、Ｒ3は炭素数１〜８のアルキル基を示す。）
〔２〕前記（Ｂ）成分は、Ｒ1がイソプロピル基であり、Ｒ2が炭素数１〜５のアルキレン基であり、Ｒ3が炭素数１〜５のアルキル基である、〔１〕に記載の緩衝器用潤滑油組成物。
〔３〕前記（Ｂ）成分が、エチル−３−｛［ビス（１−メチルエトキシ）フォスフィノチオイル］チオ｝プロピオネートである〔１〕又は〔２〕に記載の緩衝器用潤滑油組成物。
〔４〕前記（Ｂ）成分の含有量が、該組成物全体に対して０．０１質量％以上５質量％以下である、〔１〕〜〔３〕のいずれかに記載の緩衝器用潤滑油組成物。
〔５〕更に、該組成物全体に対して０．１質量％以上５質量％以下の（Ｃ）多価アルコールの部分エステルを含有する、〔１〕〜〔４〕のいずれかに記載の緩衝器用潤滑油組成物。
〔６〕前記（Ｃ）成分が、ペンタエリスリトールジオレートである、〔５〕に記載の緩衝器用潤滑油組成物。
〔７〕更に該組成物全体に対して０．１質量％以上５質量％以下の（Ｄ）リン含有化合物を含有する、〔１〕〜〔６〕のいずれかに記載の緩衝器用潤滑油組成物。
〔８〕前記（Ｄ）成分が、ジチオリン酸亜鉛（ＺｎＤＴＰ）である、〔７〕に記載の緩衝器用潤滑油組成物。
【発明の効果】
【０００７】
本発明によれば、緩衝器のオイルシール、ピストンロッドに一般的に用いられる材料であるゴム―クロム間の潤滑性において、低速側の摩擦係数が低く、高速側の摩擦係数が高く、更に高速側の摩擦係数に対する低速側の摩擦係数の比が小さい緩衝器用潤滑油組成物を提供することができる。特に、本発明の緩衝器用潤滑油組成物を使用することで、緩衝器の微少振幅時（例えば、高速道路での車線変更時）、緩衝器の運動がスムーズでありながら一定の減衰力を発揮するため、高い操縦安定性と、自動車の優れた乗り心地性を提供することができる。
【図面の簡単な説明】
【０００８】
【図１】図１は、ゴム摩擦係数の測定の概略説明図である。
【発明を実施するための形態】
【０００９】
本発明の緩衝器用潤滑油組成物は、（Ａ）鉱油及び／又は合成油からなる基油（以下、単に「（Ａ）成分」と称することがある）と、（Ｂ）下記式（１）で表されるジチオリン酸エステル（以下、単に「（Ｂ）成分」と称することがある）とを含む。
【００１０】
【化２】
2014019713.tif 000003
【００１１】
＜（Ａ）基油＞
本発明の潤滑油組成物における基油（Ａ）は、鉱油及び／又は合成油である。この鉱油や合成油の種類に特に制限はなく、鉱油としては、例えば、溶剤精製、水添精製などの通常の精製法により得られたパラフィン基系鉱油、中間基系鉱油又はナフテン基系鉱油などが挙げられる。
また、合成油としては、例えば、ポリブテン、ポリオレフィン〔α−オレフィン（共）重合体〕、各種のエステル（例えば、ポリオールエステル、二塩基酸エステル、リン酸エステルなど）、各種のエーテル（例えば、ポリフェニルエーテルなど）、アルキルベンゼン、アルキルナフタレンなどが挙げられる。
本発明においては、基油として、上記鉱油を一種用いてもよく、二種以上組み合わせて用いてもよい。また、上記合成油を一種用いてもよく、二種以上組み合わせて用いてもよい。更には、鉱油一種以上と合成油一種以上とを組み合わせて用いてもよい。
これらの中でも、鉱油、特にパラフィン系鉱油や、１−デセンのオリゴマーなどのα−オレフィン重合体及びそれらの混合物が好ましく用いられる。
【００１２】
また、本発明の潤滑油組成物は、主に乗用車の緩衝器油として用いられることから、前記基油の粘度としては、４０℃の動粘度で２〜２０ｍｍ2／ｓの範囲が好ましく、３〜１５ｍｍ2／ｓの範囲がより好ましく、４〜１０ｍｍ2／ｓが更に好ましい。
基油の粘度指数は、特に限定されないが、９５以上であることが好ましく、１００以上であることがより好ましく、１０５以上であることが更に好ましい。なお、ここでいう基油の粘度指数などの性状は、複数の基油を混合して用いる場合は、混合基油の性状を意味している。
また、前記基油は、引火点が１５０℃以上であるものが好ましく、１５５℃以上のものがより好ましい。基油の引火点が１５０℃以上では、使用条件下において泡の発生が少なくなり、そのことによって乗り心地性を向上させることがある。
したがって低温流動性を高める目的で、過度に低粘度基材を混合した基油を用いることは好ましくない。
なお、ここでいう引火点は、通常ＪＩＳ  Ｋ２２６５（ＣＯＣ法）によって測定されるものである。
本発明の潤滑剤組成物において、（Ａ）成分の含有量は、特に限定されないが、例えば、組成物全量に対して、好ましくは５０質量％以上９９．９質量％以下であり、より好ましくは７０質量％以上９９．８質量％以下であり、更に好ましくは８０質量％以上９９．７質量％以下である。
【００１３】
＜（Ｂ）ジチオリン酸エステル＞
本発明の潤滑油組成物におけるジチオリン酸エステル（Ｂ）は、下記式（１）で表される。
【００１４】
【化３】
2014019713.tif 000004
【００１５】
式（１）中、Ｒ1はそれぞれ独立に炭素数１〜８のアルキル基を示し、Ｒ2は炭素数１〜８のアルキレン基を示し、Ｒ3は炭素数１〜８のアルキル基を示す。
Ｒ1で表されるアルキル基は、炭素数１〜５が好ましく、炭素数２〜４がより好ましく、炭素数２〜３が更に好ましい。また当該アルキル基は、直鎖状又は分岐状であってもよい。
Ｒ1で表されるアルキル基の具体例としては、メチル基、エチル基、ノルマルプロピル基、イソプロピル基、ノルマルブチル基、イソブチル基、ターシャリーブチル基、ペンチル基、ヘキシル基、オクチル基が挙げられる。これらの中でも、イソプロピル基が好ましい。
Ｒ2で表されるアルキレン基は、炭素数１〜５が好ましく、炭素数１〜４がより好ましく、炭素数２〜３が更に好ましい。また当該アルレン基は、直鎖状又は分岐状であってもよい。Ｒ2で表されるアルキレン基の具体例としては、メチレン基、エチレン基、プロピレン基、ブチルレン基、ペンチレン基、ヘキシレン基、オクチレン基が挙げられる。これらの中でも、エチレン基又はプロピレン基が好ましい。
Ｒ3で表されるアルキル基は、炭素数１〜５が好ましく、炭素数２〜４がより好ましく、炭素数２〜３が更に好ましい。また当該アルキル基は、直鎖状又は分岐状であってもよい。
Ｒ3で表されるアルキル基の具体例としては、メチル基、エチル基、ノルマルプロピル基、イソプロピル基、ノルマルブチル基、イソブチル基、ターシャリーブチル基、ペンチル基、ヘキシル基、オクチル基が挙げられる。これらの中でも、エチル基又はノルマルブチル基が好ましく、高速側の摩擦係数を高める観点から、エチル基がより好ましい。
【００１６】
式（１）で表されるジチオリン酸エステルの中でも、Ｒ1がイソプロピル基であり、Ｒ2が炭素数１〜５のアルキレン基であり、Ｒ3が炭素数１〜５のアルキル基であることが好ましい。
また、これらのジチオリン酸エステルの中でもエチル−３−｛［ビス（１−メチルエトキシ）フォスフィノチオイル］チオ｝プロピオネート〔下記の式（１−１）で表される化合物〕又は、ブチル−３−｛［ビス（１−メチルエトキシ）フォスフィノチオイル］チオ｝プロピオネート〔下記の式（１−２）で表される化合物〕がより好ましく、エチル−３−｛［ビス（１−メチルエトキシ）フォスフィノチオイル］チオ｝プロピオネート〔式（１−１）〕が更に好ましい。
【００１７】
【化４】
2014019713.tif 000005
【００１８】
【化５】
2014019713.tif 000006
【００１９】
式（１）で表されるジチオリン酸エステルは、公知の化合物であり、その製造方法も知られており、例えば、米国特許公報５３６２４１９号に記載の方法に準じて製造することができる。
【００２０】
本発明の潤滑剤組成物において、（Ｂ）成分の含有量は、特に限定されないが、例えば、組成物全量に対して、好ましくは０．０１質量％以上５質量％以下であり、より好ましくは０．０５質量％以上３質量％以下であり、更に好ましくは０．１質量％以上１質量％以下である。
【００２１】
＜（Ｃ）多価アルコールの部分エステル＞
本発明の潤滑油組成物は、（Ｃ）多価アルコールの部分エステル（以下、単に「（Ｃ）成分」と称することがある）を含有していることが好ましい。多価アルコールの部分エステルを含有することで、本発明の効果に加えて、ガイドブッシュ、ピストンロッドに一般的に用いられる材料である青銅―クロム間の潤滑性において、摩擦係数が低く緩衝器におけるピストンロッド／ガイドブッシュ間の摩擦係数を低減することができる。
多価アルコールの部分エステルは、炭素数が１０以上２０以下の脂肪酸残基を有する多価アルコールの部分エステルが好ましい。ここで脂肪酸残基とは、脂肪酸の脱カルボキシル基残基を意味する。
脂肪酸残基は、特に限定されないが、例えば、分岐又は直鎖のものであってもよいし、不飽和脂肪族炭化水素基であってもよいし、飽和脂肪族炭化水素基であってもよい。具体的に、脂肪酸残基としては、例えば、デシル基、ラウリル基、パルチミル基、ステアリル基、オレイル基が挙げられる。
多価アルコールとしては、エチレングリコール、ジエチレングリコール、プロピレングリコール、ジプロピレングリコール等の２価アルコール；グリセリン、トリメチロールエタン、トリメチロールプロパン、トリメチロールブタン、１，３，５−ペンタントリオール、１，２，４−ブタントリオール、１，２，６−ヘキサントリオール等の３価アルコール；ペンタエリスリトール、１，２，３，４−ブタンテトロール、ソルビタン等の４価アルコール、アドニトール、アラビトール、キシリトール、ソルビトール、マンニトール等の多価アルコールなどが挙げられる。
多価アルコールの価数は、特に限定されないが、３価以上が好適であり、４価がより好適である。
多価アルコールは、１〜３のエステル置換部位を有することが好適であり、２〜３のエステル置換部位を有することがより好適である。
また、多価アルコールの部分エステルは、２以上の水酸基を有することが好適である。
好適な多価アルコールの部分エステルとしては、具体的には、ペンタエリスリトールジオレート、ペンタエリスリトールジラウリレート、ペンタエリスリトールジステアリレート、モノオレイルグリセライド等が挙げられる。これらの中でも、ペンタエリスリトールジオレート、ペンタエリスリトールジラウリレート、モノオレイルグリセライドが好ましい。
【００２２】
本発明の潤滑油組成物において、（Ｃ）成分の含有量は、ピストンロッド／ガイドブッシュ間の摩擦係数を低減する観点から、組成物全量に対して０．０５質量％以上１０質量％以下が好ましく、０．２質量％以上４質量％以下がより好ましく、０．３質量％以上３質量％以下がより好ましい。
【００２３】
＜（Ｄ）リン含有化合物＞
本発明の潤滑油組成物は、（Ｄ）リン含有化合物（以下、単に「（Ｄ）成分」と称することがある）を含有していることが好ましい。リン含有化合物を含有していることによって、多価アルコールの部分エステル（Ｃ）と相乗効果を発揮して、顕著に耐摩耗性が向上する。
（Ｄ）リン含有化合物としては、リン酸エステル類、酸性リン酸モノエステルのアミン塩、酸性亜リン酸ジエステルなどのリン系エステル化合物、ジチオリン酸亜鉛（ＺｎＤＴＰ）が挙げられる。
これらの中でも、本発明の潤滑油組成物においては、リン含有化合物として、アルキル基の炭素数７〜１２のＺｎＤＴＰを含むことが好ましい。当該ＺｎＤＴＰとしては、下記一般式（Ｄ１）
【００２４】
【化６】
2014019713.tif 000007
【００２５】
（式（Ｄ１）中、Ｒ1d及びＲ2dは、それぞれ独立に炭素数７〜１２の直鎖状、分岐状又は環状のアルキル基を示す。）で表される化合物を挙げることができる。
上記一般式（Ｄ１）において、Ｒ1d及びＲ2dで表されるアルキル基の具体例としては、ヘプチル基、イソヘプチル基、シクロヘキシルメチル基、オクチル基、２−エチルヘキシル基、イソオクチル基、シクロオクチル基、ノニル基、イソノニル基、３，５，５−トリメチルヘキシル基、シクロオクチルメチル基、デシル基、３，７−ジメチルオクチル基、２−プロピルヘプチル基、イソデシル基、ウンデシル基、ドデシル基、２−ブチルオクチル基、イソドデシル基などが挙げられる。これらの中で、炭素数７〜１０のものがより好ましい。
Ｒ1d及びＲ2dは、たがいに同じであってもよいし、異なっていてもよいが、製造上の容易さの観点から、同一であるものが好ましい。
【００２６】
その他、リン酸エステル系化合物としては、例えば、モノメチルハイドロジェンホスフェート、モノエチルハイドロジェンホスフェートなど炭素数１〜８のアルキル基又はアルケニル基を有する酸性リン酸モノエステルと、炭素数８〜２０アルキル基又はアルケニル基を有するアミン化合物とからなる酸性リン酸モノエステルアミン塩が挙げられる。
本発明の潤滑油組成物においては、当該（Ｄ）成分であるリン含有化合物の含有量は、組成物全量に対して、０．３〜２質量％が好ましく、０．５〜１．５質量％がより好ましい。
【００２７】
＜その他の任意成分＞
本発明の緩衝器油においては、任意添加成分として、無灰清浄分散剤、金属系清浄剤、潤滑性向上剤、酸化防止剤、防錆剤、金属不活性化剤、粘度指数向上剤、流動点降下剤及び消泡剤の中から選ばれる少なくとも１種を、本発明の目的が損なわれない範囲で適宜含有することができる。これらの任意成分は、特に限定されないが、例えば、組成物全量に対して、好ましくは０．１〜２０質量％であり、より好ましくは０．３〜１０質量％であり、更に好ましくは０．３〜５質量％である。
【００２８】
ここで、無灰清浄分散剤としては、例えばコハク酸イミド類、ホウ素含有コハク酸イミド類、ベンジルアミン類、ホウ素含有ベンジルアミン類、コハク酸で代表される二価カルボン酸アミド類などが挙げられ、金属系清浄剤としては、例えば中性金属スルホネート、中性金属フェネート、中性金属サリシレート、中性金属ホスホネート、塩基性スルホネート、塩基性フェネート、塩基性サリシレート、過塩基性スルホネート、過塩基性サリシレート、過塩基性ホスホネートなどが挙げられる。
【００２９】
潤滑性向上剤としては、極圧剤、耐摩耗剤、油性剤が挙げられ、例えば、ジチオカルバミン酸亜鉛（ＺｎＤＴＣ）、硫化オキシモリブデンオルガノホスホロジチオエート（ＭｏＤＴＰ）、硫化オキシモリブデンジチオカルバメート（ＭｏＤＴＣ）などの有機金属系化合物が挙げられる。
また、硫化油脂、硫化脂肪酸、硫化エステル、硫化オレフィン、ジヒドロカルビルポリサルファイド、チアジアゾール化合物、アルキルチオカルバモイル化合物、トリアジン化合物、チオテルペン化合物、ジアルキルチオジプロピオネート化合物などの硫黄系極圧剤が挙げられる。
更に、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和及び不飽和モノアミン、ラウリン酸アミド、オレイン酸アミドなどの脂肪族飽和及び不飽和モノカルボン酸アミドなどの油性剤が挙げられる。
【００３０】
酸化防止剤の例としては、４，４’−メチレンビス（２，６−ジ−ｔｅｒｔ−ブチルフェノール）、２，２’−メチレンビス（４−エチル−６−ｔｅｒｔ−ブチルフェノール）などの多環フェノール系酸化防止剤；モノオクチルジフェニルアミン、モノノニルジフェニルアミンなどのモノアルキルジフェニルアミン系化合物、４，４’−ジブチルジフェニルアミン、４，４’−ジペンチルジフェニルアミン、４，４’−ジヘキシルジフェニルアミン、４，４’−ジヘプチルジフェニルアミン、４，４’−ジオクチルジフェニルアミン、４，４’−ジノニルジフェニルアミンなどのジアルキルジフェニルアミン系化合物、テトラブチルジフェニルアミン、テトラヘキシルジフェニルアミン、テトラオクチルジフェニルアミン、テトラノニルジフェニルアミンなどのポリアルキルジフェニルアミン系化合物、α−ナフチルアミン、フェニル−α−ナフチルアミン、ブチルフェニル−α−ナフチルアミン、ペンチルフェニル−α−ナフチルアミン、ヘキシルフェニル−α−ナフチルアミン、ヘプチルフェニル−α−ナフチルアミン、オクチルフェニル−α−ナフチルアミン、ノニルフェニル−α−ナフチルアミンなどのナフチルアミン系化合物等のアミン系酸化防止剤；２，６−ジ−ｔｅｒｔ−ブチル−４−（４，６−ビス（オクチルチオ）−１，３，５−トリアジン−２−イルアミノ）フェノール、五硫化リンとピネンとの反応物などのチオテルペン系化合物、ジラウリルチオジプロピオネート、ジステアリルチオジプロピオネートなどのジアルキルチオジプロピオネートなどの硫黄系酸化防止剤；等が挙げられる。
【００３１】
防錆剤としては、金属系スルホネート、コハク酸エステルなどを挙げることができ、金属不活性化剤としては、ベンゾトリアゾール、チアジアゾールなどを挙げることができる。
粘度指数向上剤としては、例えば、ポリメタクリレート、分散型ポリメタクリレート、オレフィン系共重合体（例えば、エチレン−プロピレン共重合体など）、分散型オレフィン系共重合体、スチレン系共重合体（例えば、スチレン−ジエン水素化共重合体など）などが挙げられる。
流動点降下剤としては、質量平均分子量が５万〜１５万程度のポリメタクリレートなどを用いることができる。
消泡剤としては、高分子シリコーン系消泡剤が好ましく、この高分子シリコーン系消泡剤を含有させることにより、消泡性が効果的に発揮され、乗り心地性が向上する。
前記高分子シリコーン系消泡剤としては、例えばオルガノポリシロキサンを挙げることができ、特にトリフルオロプロピルメチルシリコーン油などの含フッ素オルガノポリシロキサンが好適である。
【００３２】
本願発明の緩衝器用潤滑油組成物の摩擦特性は以下のものが好ましい。
低速側のゴム摩擦係数（以下「μ1」と称することがある）は、ゴムによるビビリの発生防止の観点から、０．０４以上０．１３以下が好ましく、０．０５以上０．１０以下がより好ましく、０．０６以上０．０８以下が更に好ましい。低速側のゴム摩擦係数とは、速度１ｍｍ／ｓにおけるゴム―クロム間の摩擦係数であり、実施例記載の方法により測定されるものとする。
高速側のゴム摩擦係数（以下「μ2」と称することがある）は、伸縮運動が小さい時に緩衝器の減衰力を発揮させる観点から、０．０６以上０．１５以下が好ましく、０．０７以上０．１３以下がより好ましく、０．０９以上０．１０以下が更に好ましい。高速側のゴム摩擦係数とは、速度１５ｍｍ／ｓにおけるゴム―クロム間の摩擦係数であり、実施例記載の方法により測定されるものとする。
上記の高速側の摩擦係数に対する低速側の摩擦係数の比（μ1／μ2）は、ゴムによるビビリの発生防止し、伸縮運動が小さい時に緩衝器の減衰力を発揮させる観点から、０．８以下が好ましく、０．１０以上０．７０以下がより好ましく、０．３０以上０．７０以下が更に好ましい。
青銅摩擦係数は、ピストンロッド−ガイドブッシュ間の摩擦係数を低減する観点から、０．０５以上０．１８以下が好ましく、０．０８以上０．１７以下がより好ましく、０．１０以上０．１５以下がより好ましい。青銅摩擦係数は、青銅−クロム間の摩擦係数であり、実施例記載の方法により測定されるものとする。
【００３３】
本発明の潤滑油組成物は、複筒型ショックアブソーバー、単筒型ショックアブソーバーのいずれにも使用可能であり、また、四輪、二輪のいずれのショックアブソーバーにも使用可能であるが、特に四輪用として好適に用いられる。
本発明の潤滑油組成物は、特に、ゴム−クロム間での低速側の摩擦係数が低く、高速側の摩擦係数が高くなるため、少なくともゴム製のオイルシールと、少なくとも前記オイルシールとが接する摺動部がクロム製である（例えばクロムメッキ）ピストンロッドを有する緩衝器用の潤滑剤として好ましく使用される。
また（Ｃ）成分を含有することで、青銅−クロム間での摩擦係数が低くなるため、少なくとも内面が青銅製のガイドブッシュと、少なくとも前記ガイドブッシュと接する摺動部がクロム製である（例えばクロムメッキ）ピストンロッドを有する緩衝器用の潤滑剤としてより好ましく使用される。
また、工業用油圧作動油や建機用動作油等にも有効であると考えられる。
【実施例】
【００３４】
次に、本発明を実施例により、更に詳細に説明するが、本発明は、これらの例によってなんら限定されるものではない。
【００３５】
なお、摩擦係数の測定は、以下に示す方法により実施した。
（１）ゴム摩擦係数の測定
試験機：バウデン式往復動摩擦試験機
試験条件
荷重：２ｋｇｆ
ストローク：１０ｍｍ
速度：１ｍｍ／ｓ又は１５ｍｍ／ｓ
温度：８０℃
摩擦回数：１
摩擦材：上部ゴム（Ａ７２７）
下部クロームメッキ板（５０×１０００×５ｍｍ）
なお、ゴムはゴムプレートを径１５ｍｍの円形に切り出し、図１のように径１２．７ｍｍ球で押し出し、プレートにサンプル油を数滴落として、慣らし（８ｍｍ／ｓ，０．１ｋｇｆを２分，０．２ｋｇｆを２分，０．３ｋｇｆを２分，０．５ｋｇｆを２分）後，１ｍｍ／ｓ（低速側）又は１５ｍｍ／ｓ（高速側）で試験を行った。表１では１ｍｍ／ｓでの摩擦係数の測定結果をゴムμ1として、１５ｍｍ／ｓでの摩擦係数の測定結果をゴムμ2として示す。
【００３６】
（２）青銅摩擦係数の測定
試験機：バウデン式往復動摩擦試験機
試験条件
荷重：０．５ｋｇｆ
ストローク：１０ｍｍ
速度：２ｍｍ／ｓ
温度：８０℃
摩擦回数：１
摩擦材：上部リン青銅球、
下部クロームメッキ板（５０×１０００×５ｍｍ）
なお、リン青銅球は、１／２インチ球、サンプル油の供試方法はプレートにサンプル油を数滴落として、慣らし（８ｍｍ／ｓ，０．１ｋｇｆを２分，０．２ｋｇｆを２分，０．３ｋｇｆを２分，０．５ｋｇｆを２分）後，２ｍｍ／ｓで試験を行った。表１では摩擦係数の測定結果を青銅μとして示す。
【００３７】
実施例１、２及び比較例１〜４
第１表に示す各成分を含有する緩衝器用潤滑油組成物（ショックアブソーバー油）を調製し、摩擦係数の測定を行った。その結果を第１表に示す。
【００３８】
【表１】
2014019713.tif 000008
【００３９】
第１表中に示した実施例比較例において使用した各成分は以下のとおりである。
基油：４０℃動粘度＝９．０７ｍｍ2／ｓ，粘度指数=１０９，密度（１５℃）＝０．８２８ｇ／ｃｍ3
式（１−１）の化合物：エチル−３−｛［ビス（１−メチルエトキシ）フォスフィノチオイル］チオ｝プロピオネート
式（１−２）の化合物：ブチル−３−｛［ビス（１−メチルエトキシ）フォスフィノチオイル］チオ｝プロピオネート
Ｚｎ−ＤＴＰ（１）：アルキル炭素数６のプライマリー型
Ｚｎ−ＤＴＰ（２）：アルキル炭素数８のプライマリー型
その他の添加剤：脂肪族カルボン酸アミド、カルシウムスルフォネート、ポリメタクリレート等の混合物
【００４０】
比較例１と比較例２によれば、（Ｃ）成分の添加によって、青銅摩擦係数が顕著に低下することがわかる。更に、比較例１と実施例１及び２を比較すれば、（Ｂ）成分の添加により、ゴムμ比が顕著に低くなることがわかる。更に、青銅摩擦係数についても、（Ｂ）成分の添加によっても、低い値に維持されており、（Ｂ）成分と（Ｃ）成分を組み合わせて用いることで、低いゴムμ比と、低い青銅摩擦係数を両立することができることがわかる。また比較例３，４と実施例１，２とを比較すれば、高速側のゴム摩擦係数が高くなっている。
【産業上の利用可能性】
【００４１】
本発明の潤滑油組成物は、自動車用緩衝器に使用可能であり、また、四輪、二輪のいずれの緩衝器にも使用可能である。
【図１】
2014019713.tif 000011